(57)【要約】【課題】燃料電池の出力が低い場合であってもアクチュエータの駆動電力を確保したレンズ鏡筒を提供する。【解決手段】ボディ１００に着脱可能に装着されるレンズ鏡筒２００を、被駆動部材Ｌと、被駆動部材Ｌを駆動するアクチュエータ部２３０と、アクチュエータ部２３０に供給される電力を発生する燃料電池部２４２を有するレンズ側電力供給部２４０と、アクチュエータ部２３０によって被駆動部材Ｌと連動して駆動され、酸素含有気体を燃料電池部２４２に供給する気体供給部２７０と、レンズ側電力供給部２４０の出力に応じて、ボディ１００側から供給される電力をアクチュエータ部２３０に供給する補助電力供給部２６０とを備える構成とする。【選択図】図４
2007121604.tif 000002
【特許請求の範囲】
【請求項１】
ボディに着脱可能に装着されるレンズ鏡筒において、
被駆動部材と、
前記被駆動部材を駆動するアクチュエータ部と、
前記アクチュエータ部に供給される電力を発生する燃料電池部を有するレンズ側電力供給部と、
前記アクチュエータ部によって前記被駆動部材と連動して駆動され、酸素含有気体を前記燃料電池部に供給する気体供給部と、
前記レンズ側電力供給部の出力に応じて、前記ボディ側から供給される電力を前記アクチュエータ部に供給する補助電力供給部と
を備えることを特徴とするレンズ鏡筒。
【請求項２】
請求項１に記載のレンズ鏡筒において、
前記レンズ側電力供給部の出力が所定値以下である場合に前記ボディ側に補助電力供給信号を出力する電力供給信号出力部を備えること
を特徴とするレンズ鏡筒。
【請求項３】
請求項２に記載のレンズ鏡筒において、
前記電力供給信号出力部は、前記ボディの主電源投入時、前記ボディの撮影準備操作時の少なくとも一方において、前記補助電力供給信号を出力すること
を特徴とするレンズ鏡筒。
【請求項４】
請求項１から請求項３までのいずれか１項に記載のレンズ鏡筒において、
前記燃料電池部の搭載に関する属性情報を前記ボディ側に出力する属性情報出力部を備えること
を特徴とするレンズ鏡筒。
【請求項５】
請求項１から請求項４までのいずれか１項に記載のレンズ鏡筒において、
前記ボディ側に設けられた複数のボディ側端子部とそれぞれ導通され、電力の供給を受ける複数のレンズ側端子部と、
前記補助電力供給部よりも最大供給電力量が小さい小電力供給部とを備え、
前記複数のレンズ側端子部の一部に前記補助電力供給部が接続され、他部に前記小電力供給部が接続されること
を特徴とするレンズ鏡筒。
【請求項６】
請求項１から請求項５までのいずれか１項に記載のレンズ鏡筒において、
前記被駆動部材は、その移動によって撮影用光学系の被写体距離を変更するフォーカシング用レンズ群であり、
前記アクチュエータ部は、前記ボディからの入力信号に基づいて前記フォーカシング用レンズ群を駆動する振動アクチュエータであること
を特徴とするレンズ鏡筒。
【発明の詳細な説明】
【技術分野】
【０００１】
本発明は、燃料電池を備えたレンズ鏡筒に関するものである。
【背景技術】
【０００２】
レンズ交換式カメラに用いられる交換用レンズ鏡筒は、その内部にオートフォーカス用のアクチュエータや、ブレ補正光学系をシフト方向に駆動して像ブレを低減するブレ補正装置を備えているものがある。
従来、このようなレンズ鏡筒内のアクチュエータを駆動する電力は、カメラボディ側に設けられた電池から供給することが一般的であった。
【０００３】
しかし、開放絞り値が大きいレンズや、焦点距離の大きい望遠レンズ等のように光学系のサイズが大きいレンズ鏡筒では、オートフォーカス用等のアクチュエータにも大きな出力が要求され、消費電力が大きくなるが、カメラボディ側から供給可能な電力量は、カメラボディの設計仕様によって制約を受けるから、レンズ鏡筒を設計するうえでネックとなっていた。
【０００４】
これに対し、レンズ鏡筒側にもカメラボディ側と独立した電源を設けることが提案されている。例えば、近年、燃料電池の小型化が進んだことから、燃料電池をカメラの電源として用いることが提案されている（例えば、特許文献１）。
【０００５】
燃料電池は、電解質を介して配置された１対の電極に、メタノール等の燃料と、酸素とをそれぞれ供給し、化学変化を利用して電力を得るものである。
燃料電池をレンズ鏡筒の電源として内蔵する場合、必要な電力を確保するため、発電に用いられる酸素を、燃料電池に十分に供給することが重要である。
【０００６】
レンズ鏡筒は、燃料電池への酸素の供給を確保するために、フォーカシング用のアクチュエータに追従して作動し、燃料電池に空気を圧送する空気圧縮部を設けることが考えられる。
しかし、この場合には、アクチュエータは、例えば起動時のように、燃料電池の出力が十分に得られない状態では、十分な駆動電力を得ることができない。特に、燃料電池の発電能力は低温時に低下することから、低温環境下ではこのような電力の不足が生じやすい。アクチュエータは、駆動電力が不足してその駆動ができなければ、燃料電池に空気を十分に供給することができず、燃料電池の起動にも支障を生じる。
【特許文献１】特開２００４−１２０８８７号公報
【発明の開示】
【発明が解決しようとする課題】
【０００７】
本発明の課題は、燃料電池の出力が低い場合であってもアクチュエータの駆動電力を確保したレンズ鏡筒を提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
【０００９】
請求項１の発明は、ボディ（１００）に着脱可能に装着されるレンズ鏡筒（２００）において、被駆動部材（Ｌ）と、前記被駆動部材（Ｌ）を駆動するアクチュエータ部（２３０）と、前記アクチュエータ部（２３０）に供給される電力を発生する燃料電池部（２４２）を有するレンズ側電力供給部（２４０）と、前記アクチュエータ部（２３０）によって前記被駆動部材（Ｌ）と連動して駆動され、酸素含有気体を前記燃料電池部（２４２）に供給する気体供給部（２７０）と、前記レンズ側電力供給部（２４０）の出力に応じて、前記ボディ（１００）側から供給される電力を前記アクチュエータ部（２３０）に供給する補助電力供給部（２６０）とを備えることを特徴とするレンズ鏡筒（２００）である。
【００１０】
請求項２の発明は、請求項１に記載のレンズ鏡筒（２００）において、前記レンズ側電力供給部（２４０）の出力が所定値以下である場合に前記ボディ（１００）側に補助電力供給信号を出力する電力供給信号出力部（２１０）を備えることを特徴とするレンズ鏡筒（２００）である。
請求項３の発明は、請求項２に記載のレンズ鏡筒（２００）において、前記電力供給信号出力部（２１０）は、前記ボディ（１００）の主電源投入時、前記ボディ（１００）の撮影準備操作時の少なくとも一方において、前記補助電力供給信号を出力することを特徴とするレンズ鏡筒（２００）である。
請求項４の発明は、請求項１から請求項３までのいずれか１項に記載のレンズ鏡筒（２００）において、前記燃料電池部（２４２）の搭載に関する属性情報を前記ボディ側に出力する属性情報出力部（２１０）を備えることを特徴とするレンズ鏡筒（２００）である。
請求項５の発明は、請求項１から請求項４までのいずれか１項に記載のレンズ鏡筒（２００）において、前記ボディ（１００）側に設けられた複数のボディ側端子部（１４０，１５０）とそれぞれ導通され、電力の供給を受ける複数のレンズ側端子部（２５１，２６１）と、前記補助電力供給部（２６０）よりも最大供給電力量が小さい小電力供給部（２５０）とを備え、前記複数のレンズ側端子部（２６２）の一部に前記補助電力供給部が接続され、他部に前記小電力供給部（２５２）が接続されることを特徴とするレンズ鏡筒（２００）である。
請求項６の発明は、請求項１から請求項５までのいずれか１項に記載のレンズ鏡筒（２００）において、前記被駆動部材（Ｌ）は、その移動によって撮影用光学系の被写体距離を変更するフォーカシング用レンズ群であり、前記アクチュエータ部（２３０）は、前記ボディ（１００）からの入力信号に基づいて前記フォーカシング用レンズ群（Ｌ）を駆動する振動アクチュエータであることを特徴とするレンズ鏡筒（２００）である。
【発明の効果】
【００１１】
本発明によれば、以下の効果を奏することができる。
（１）レンズ側電力供給部の出力に応じて、アクチュエータ部にボディ側から電力を供給する補助電力供給部を備えているから、カメラシステムの起動時等に燃料電池の出力が不足している場合であってもアクチュエータの駆動電力を確保することができる。アクチュエータが駆動されることによって、気体供給部が駆動され、酸素含有気体が燃料電池部に供給されるから、燃料電池の起動時における出力向上を促進することができる。
（２）レンズ側電力供給部の出力に応じてボディ側に補助電力供給信号を出力する電力供給信号出力部、又は、燃料電池部の搭載に関する属性情報を出力する属性情報出力部を備えているから、ボディ側から確実に電力の供給を行うことができる。
（３）補助電力供給部は、小電力供給部とは独立して設けられるとともに、それぞれ独立した端子部を介してボディ側から電力の供給を受けるから、小電力供給部に接続されるＣＰＵ等の弱電回路に影響を及ぼすことなく大電力を供給することができる。
【発明を実施するための最良の形態】
【００１２】
本発明は、燃料電池の出力が低い場合であってもアクチュエータの駆動電力を確保したレンズ鏡筒を提供するという課題を、起動時に超音波モータ（ＳＷＭ）の駆動電力が不足した場合に、ボディ側から供給される電力をアクチュエータに供給する補助電力供給ラインを設けることによって解決する。
【実施例】
【００１３】
以下、図面等を参照して、本発明の実施例をあげて、さらに詳しく説明する。
図１は、本発明を適用したレンズ鏡筒の実施例を含むカメラシステムの構成を示すブロック図である。
カメラシステム１は、ボディ１００と、レンズ鏡筒２００とを備えている。
ボディ１００は、例えば、レンズ交換式のデジタルカメラであって、撮像素子１１０と、カメラＣＰＵ１２０と、ボディ側電源部１３０と、ＣＰＵ電力供給接点１４０と、補助電力供給接点１５０とを備えている。
撮像素子１１０は、例えばＣＣＤ等を有し、レンズ鏡筒２００が結像する被写体像を取得するものである。
カメラＣＰＵ１２０は、カメラシステム１の各機能を統括的に制御するものであり、後述するレンズ鏡筒２００側のレンズＣＰＵと通信可能となっている。
ボディ側電源部１３０は、ボディ１００内の各構成要素に電力を供給するとともに、必要に応じてＣＰＵ電力供給接点１４０、補助電力供給接点１５０を介してレンズ鏡筒２００側にも電力を供給するものであって、例えばリチウムイオン電池、ニッケル水素電池等の２次電池、アルカリ乾電池、オキシライド電池、リチウム電池等の１次電池を備えている。また、ボディ側電源部１３０は、ＣＰＵ電力供給接点１４０、補助電力供給接点１５０それぞれの供給電圧が異なる場合には、供給電圧を調整する図示しない電圧調整部を備えている。
ＣＰＵ電力供給接点１４０は、レンズ鏡筒が着脱可能に装着される図示しないボディ側マウント部に備えられ、電力をレンズ鏡筒２００側の対応する接点に伝達するものである。このＣＰＵ電力供給接点１４０の供給可能な電力量は、例えばＣＰＵ等の電子部品（弱電回路）の駆動や、内蔵電源を持たない図示しない交換用レンズ鏡筒のレンズ内ＡＦ用アクチュエータ、ブレ補正装置等の消費電力を考慮して設定される。
補助電力供給接点１５０は、上述したボディ側マウント部にＣＰＵ電力供給接点１４０と独立して設けられ、ＣＰＵ電力供給接点１４０の最大供給電力量よりも電力量が大きい電力を、レンズ鏡筒２００側の対応する接点に伝達するものである。補助電力供給接点１５０の供給可能な電力量は、ＣＰＵ電力供給接点１４０から供給される電力量では十分な速度が得られない大型のＡＦ用アクチュエータを駆動することを考慮して設定される。
【００１４】
レンズ鏡筒２００は、フォーカシングレンズ群Ｌと、レンズＣＰＵ２１０と、ドライバ部２２０と、超音波モータ（ＳＷＭ）２３０と、レンズ側電源部２４０と、ＣＰＵ電力供給部２５０と、補助電力供給部２６０と、送風部２７０と、逆流防止弁２８１〜２８４を備えている。図２は、このレンズ鏡筒２００内のレイアウトを示す概略図である。
フォーカシングレンズ群Ｌは、レンズ鏡筒２００の図示しない撮影用光学系の一部に含まれるものであり、その光軸方向に沿って移動可能に支持され、この移動によって撮影用光学系の被写体距離を変更するものである。
【００１５】
レンズＣＰＵ２１０は、カメラＣＰＵ１２０からの信号に基づいて、ドライバ部２２０にフォーカシングレンズ群Ｌの駆動に関する制御信号を伝達するものである。また、レンズＣＰＵ２１０は、ボディ１００への装着時、又は、ボディ１００に装着された状態でボディ１００の電源が投入された場合に、レンズ鏡筒２００が燃料電池を内蔵していることを示す属性情報をボディ１００側のカメラＣＰＵ１２０に伝達する。カメラＣＰＵ１２０は、この属性情報を受け、電源部１３０からレンズ鏡筒２００側のドライバ部２２０に電力を供給する補助電力供給接点１５０を利用可能な状態とする。
ドライバ部２２０は、レンズ側電源部２４０又は補助電力供給部２６０から電力を供給され、レンズＣＰＵ２１０から入力された制御信号に基づいて、超音波モータ２３０に駆動電力を供給するものである。
【００１６】
超音波モータ２３０は、フォーカシングレンズ群Ｌを駆動する振動アクチュエータであって、その振動の周波数帯域として、超音波域を用いるものである。なお、この超音波モータ２３０の構成については、後に詳しく説明する。
【００１７】
レンズ側電源部２４０は、上述した超音波モータ２３０を駆動する電力を発生するものであって、燃料貯蔵部２４１と、燃料電池部２４２と、バッテリ部２４３とを備えている。
燃料貯蔵部２４１は、例えばメタノール等の燃料電池部２４２の燃料を貯蔵するものである。
燃料電池部２４２は、電解質を介して設けられた１対の電極を備え、その一方の電極（燃料極）に上述した燃料を供給し、他の電極（酸素極）に、送風部２７０から供給され、酸素を含有する空気を供給することによって、化学変化によって電力を発生するものである。
バッテリ部２４３は、燃料電池部２４２が発電した電力を一時的に蓄積し、ドライバ部２２０の要求する電力を逐次放出するものである。
【００１８】
ＣＰＵ電力供給部２５０は、ボディ１００側のＣＰＵ電力供給接点１４０から供給される電力を、レンズＣＰＵ２１０に供給するものであって、レンズ側接点２５１と、ＣＰＵ電力供給ライン２５２とを備えている。
レンズ側接点２５１は、上述したボディ側マウントに着脱可能に装着されるレンズ側マウント２０１に備えられ、ボディ１００側のＣＰＵ電力供給接点１４０と導通するものである。
ＣＰＵ電力供給ライン２５２は、レンズ側接点２５１から供給される電力をレンズＣＰＵ２１０に伝達するものである。
【００１９】
補助電力供給部２６０は、ボディ１００側の補助電力供給接点１５０から供給される電力を、ドライバ部２２０に供給するものであって、レンズ側接点２６１と、電力供給ライン２６２とを備えている。
レンズ側接点２６１は、レンズ側マウント２０１に備えられ、ボディ１００側の補助電力供給接点１５０と導通するものである。
電力供給ライン２６２は、レンズ側接点２６１から供給される電力をドライバ部２２０に伝達するものである。
【００２０】
送風部２７０は、超音波モータ２３０によってフォーカシングレンズ群Ｌと連動して駆動され、燃料電池部２４２に、その酸素極で消費される空気を供給する空気供給部である。
図３は、図１のカメラシステムの超音波モータ２３０及び送風部２７０の構成を示す図である。
実施例において、超音波モータ２３０は、送風部２７０の一部に収容されている。
【００２１】
超音波モータ２３０は、ステータ２３１と、ロータ２３２と、出力軸２３３とを備えている。
ステータ２３１は、例えばステンレス合金等の共振先鋭度が大きい材料によって形成された環状の部材であり、そのロータ２３２と対向する側の端面には、周方向に沿って周期性をもたせて形成された放射状の溝を有する櫛歯２３１ａが形成され、他の端面には、振動を励起するための図示しない圧電体が接合されている。この圧電体は、ステータ２３１の周方向に沿って進行する進行波を励振するものである。
ロータ２３２は、ステータ２３１の櫛歯が形成された側の端面に当接して設けられ、例えば軽合金によって形成された円盤状の部材であり、その外周縁部には、ステータ２３１の端面によって駆動される駆動面が形成されている。また、ロータ２３２は、その回転軸方向に沿ってこのロータ２３２を貫通する複数の開孔２３２ａが形成されている。
出力軸２３３は、その一端部をロータ２３２の中心部に接続され、ステータ２３１の内径側を通って配置されている。出力軸２３３の他端部は、フォーカシングレンズ群Ｌを駆動するギアＧｍに接続されている。図２に示すように、フォーカシングレンズ群Ｌの外周縁部には、リングギアＧｌが備えられ、ギアＧｍはこのリングギアＧｌと噛合して配置されている。
【００２２】
送風部２７０は、ファン２７１と、ケーシング２７２と、管路２７３，２７４，２７５，２７６，２７７とを有し、軸流式の圧縮機として形成されている。
図１に示すように、これらの送風部２７０の各部材は、超音波モータ２３０とともに配管ボックス２７８に収容されている。この配管ボックス２７８は、図２に示すように、レンズ鏡筒２００の光軸方向から見た平面形状がこの光軸を略中心として径方向に略一定の幅を有する円弧状に形成され、レンズ鏡筒２００の鏡胴部に沿って配置されている。超音波モータ２３０は配管ボックス２７８の周方向における中央部に配置されている。
ファン２７１は、超音波モータ２３０のロータ２３２の出力軸２３３とは反対側の端部に設けられた動翼であり、ロータ２３２の回転に追従して回転し、その回転軸方向に沿って流れる気流を形成するものである。
ケーシング２７２は、超音波モータ２３０及びファン２７１を収容する円筒状の容器であって、ファン２７１側の端部には、空間部２７２ａが設けられている。
【００２３】
管路２７３は、一端部を大気に開放され、他端部をケーシング２７２の外周面の空間部２７２ａに対向する領域に接続されている。また、管路２７３は、開放側からケーシング２７２側にのみ気流を流す逆流防止弁２８１を備えている。
管路２７４は、一端部を大気に開放され、他端部をケーシング２７２の外周面のステータ２３１と対向する領域に接続されている。また、管路２７４は、開放側からケーシング２７２側にのみ気流を流す逆流防止弁２８２を備えている。
【００２４】
管路２７５は、一端部をケーシング２７２の外周面の空間部２７２ａに対向する領域に接続され、他端部を管路２７７に接続されている。また、管路２７５は、ケーシング２７２側から管路２７７側にのみ気流を流す逆流防止弁２８３を備えている。
管路２７６は、一端部をケーシング２７２の外周面のステータ２３１と対向する領域に接続され、他端部を管路２７７に接続されている。また、管路２７６は、ケーシング２７２側から管路２７７側にのみ気流を流す逆流防止弁２８４を備えている。
管路２７７は、一端部を管路２７５，２７６に接続され、他端部を燃料電池部２４２に接続されている。
なお、上述した各逆流防止弁２８１，２８２，２８３，２８４は、気流がないときには、それぞれ対応する各管路２７３，２７４，２７５，２７６を閉鎖するものである。
【００２５】
次に、上述した送風部２７０及び逆流防止弁２８１〜２８４の動作について説明する。
以下、フォーカシングレンズ群Ｌを、レンズ鏡筒２００の被写体距離が小さくなる方向に駆動する際の超音波モータ２３０の回転を「正転」、被写体距離が大きくなる方向に駆動する際の超音波モータ２３０の回転を「逆転」と称して説明する。
超音波モータ２３０がドライバ部２２０から駆動電流を供給されて回転すると、そのロータ２３２に接続されたファン２７１も追従して回転し、これによって、ケーシング２７２内に圧力差が発生する。
【００２６】
超音波モータ２３０の正転時には、ファン２７１の回転によって、ケーシング２７２内の空気が、超音波モータ２３０側から、空間部２７２ａ側に圧送され、空間部２７２ａ側の圧力が高くなり、超音波モータ２３０側の圧力は、大気圧に対して負圧となる。
この場合、外部の空気が管路２７４を介してケーシング２７２内に流入し、その一部は、ステータ２３１及びロータ２３２の外周面とケーシング２７２の内周面との隙間を通って空間部２７２ａ内に流入し、残部は、ステータ２３１の櫛歯２３１ａの溝部分を通ってステータ２３１の内径側に流入し、ロータ２３２の通孔２３２ａを通って空間部２７２ａ内に流入する。
そして、空間部２７２ａ内の空気は、管路２７５、２７７を介して燃料電池部２４２に供給される。
【００２７】
一方、超音波モータ２３０の逆転時には、ファン２７１の回転によって、ケーシング２７２内の空気が、空間部２７２ａ側から、超音波モータ２３０側に圧送され、超音波モータ２３０側の圧力が高くなり、空間部２７２ａ側の圧力は、大気圧に対して負圧となる。
この場合、外部の空気が管路２７３を介してケーシング２７２内に流入し、その一部は、ステータ２３１及びロータ２３２の外周面とケーシング２７２の内周面との隙間を通って超音波モータ２３０の周辺部に流入し、残部は、ロータ２３２の通孔２３２ａを通ってステータ２３１の内径側に流入し、ステータ２３１の櫛歯２３１ａの溝部分を通って超音波モータ２３０の周辺部に流入する。
そして、超音波モータ２３０の周辺部の空気は、管路２７６，２７７と通って、燃料電池部２４２に供給される。
【００２８】
次に、上述したカメラシステムの動作について説明する。
図４は、カメラシステムの動作を示すフローチャートである。
このフローは、ボディ１００の電源を投入後、超音波モータ２３０の初回の駆動時における処理を示すものである。以下、ステップ毎に順を追って説明する。
【００２９】
（ステップＳ０１：レリーズ半押し有無判断）
レンズＣＰＵ２１０は、ボディ１００側において、例えば図示しないレリーズスイッチの半押し等の撮影準備操作が入力されたか否かを判断する。このようなレリーズスイッチの半押し操作は、一般に撮影前にＡＦ動作を起動するために行われるものである。
ボディ１００側のカメラＣＰＵ１２０は、レリーズスイッチの半押しが行われた場合は、その旨を示す情報を含む信号をレンズＣＰＵ２１０に出力する。
レリーズスイッチの半押し操作があった場合はステップＳ０２に進み、なかった場合には処理を終了する。
（ステップＳ０２：供給可能電力検出）
レンズＣＰＵ２１０は、例えば燃料電池部２４２の出力電圧、バッテリ部２４３の端子電圧等を検出することによって、レンズ側電源部２４０からの供給可能な電力量を検出する。
【００３０】
（ステップＳ０３：補助電力供給要否判断）
レンズＣＰＵ２１０は、ステップＳ０２で検出したレンズ側電源部２４０の供給可能な電力量に基づいて、その電力量によって超音波モータ２３０によるフォーカシングレンズ群Ｌの駆動が可能であるか判断し、レンズ側電源部２４０からの電力供給によって駆動可能な場合は、その電力を用いカメラＣＰＵ１２０からの制御信号に応じて超音波モータ２３０の駆動を行い、処理を終了する。
一方、レンズ側電源部２４０の出力によって超音波モータ２３０の駆動を十分に行えない場合は、ステップＳ０４に進む。
【００３１】
（ステップＳ０４：電力供給信号出力）
レンズＣＰＵ２１０は、ボディ１００側のカメラＣＰＵ１２０に対して、補助電力の供給を促す電力供給信号を出力する。
（ステップ０５：補助電力供給開始）
ボディ１００側のカメラ側電源部１３０は、補助電力供給接点１５０を介してレンズ鏡筒２００側の補助電力供給部２６０へ給電し、ドライバ部２２０は、補助電力供給部２６０から供給される電力を利用して超音波モータ２３０に対して駆動電力の供給を開始する。
【００３２】
（ステップＳ０６：超音波モータ駆動）
超音波モータ２３０は、ドライバ部２２０からの駆動電力の供給に応じて作動を開始し、フォーカシングレンズ群Ｌの駆動を行う。フォーカシングレンズ群Ｌは、レリーズスイッチの半押し操作に基づいて、先ず焦点距離が遠方側から近接側となるように繰り出され、その後無限遠側に戻すことによってゼロ点調節が行われる。次に、フォーカシングレンズ群Ｌは、例えば公知のＴＴＬ位相差検出法等を用いたＡＦ制御によって求められた合焦位置まで駆動される。
このとき、送風部２７０は、超音波モータ２３０が作動することによって、レンズ側電源部２４０の燃料電池部２４２に対して空気の供給を行う。燃料電池部２４２は、その発電に必要な酸素を含有する空気が供給されることによって発電を開始し、その出力電力はバッテリ部２４３に貯留される。
【００３３】
（ステップＳ０７：補助電力供給終了可否判断）
レンズＣＰＵ２１０は、燃料電池部２４２が発電を開始し、レンズ側電源部２４０の供給可能電力が増加したことを受け、上述したステップＳ０３と同様に、レンズ側電源部２４０の出力による超音波モータ２３０の駆動が可能か判断する。
レンズ側電源部２４０の出力によって超音波モータ２３０を十分に駆動可能な場合は、ステップＳ０８に進み、この出力が未だ不足しており超音波モータ２３０の駆動を十分に行えない場合は、再びステップＳ０６に戻る。
（ステップＳ０８：電力供給切換）
レンズＣＰＵ２１０は、ドライバ部２２０の電力供給元を補助電力供給部２６０からレンズ側電源部２４０に切り換える。これによって、ドライバ部２２０は、レンズ側電源部２４０の出力を利用して超音波モータ２３０の駆動電力を出力する。
また、レンズＣＰＵ２１０は、ボディ１００側のカメラＣＰＵ１２０に対して電力供給を切り換えた旨の情報を含む信号を出力し、ボディ側電源部１３０からの補助電力供給接点１５０への電力供給を終了する。
【００３４】
以上のように本実施例によれば、レンズ側電源部２４０が出力可能な電力量が超音波モータ２３０の駆動に不足する場合に、ボディ側電源部１３０から供給される電力をドライバ部２２０に伝達する補助電力供給部２６０を備えているから、例えばカメラシステム１の起動時等であっても超音波モータ２３０の駆動電力を確保することができる。超音波モータ２３０が駆動されると、送風部２７０が連動して駆動され、空気が燃料電池部２４２に供給されるから、燃料電池２４２の起動時における出力向上を促進することができ、レンズ側電源部２４０によって早期に超音波モータ２３０の駆動電力を負担できるようになる。特に、低温時には燃料電池の発電能力が低下することから、このような効果が顕著である。
また、レンズＣＰＵ２１０はボディ１００側のカメラＣＰＵ１２０に対して、その装着時等に燃料電池を搭載した旨の情報を出力し、また、レンズ側電源部２４０の出力が不足する場合に電力供給信号を出力しているから、ボディ１００側からの補助電力の供給を確実に行うことができる。
さらに、補助電力供給部２６０は、ボディ１００側のマウント部においてＣＰＵ電力供給接点１４０と独立して設けられた補助電力供給接点１５０から給電を受けるから、ＣＰＵ電力供給部２５０に接続されたレンズＣＰＵ２１０等の弱電回路に影響を及ぼすことなく大電力を供給することができる。
【００３５】
（変形例）
なお、本発明は、上述した実施例によって限定されるものではなく、種々の変形や変更が可能であって、それらも本発明の均等の範囲内である。
（１）実施例は、燃料電池部の出力が不足する起動時等に、補助電力供給部を介してアクチュエータの駆動電力を供給しているが、このような専用の電力供給部に限らず、他の構成部材と共用の電力供給部から供給してもよい。この場合において、アクチュエータの定格出力を発揮するだけの供給電力が得られない場合であっても、低速で運転することは可能であり、これによって気体供給部（送風部）が駆動され、燃料電池部の出力を向上させることができる。
（２）実施例は、カメラシステムの起動後レリーズスイッチが半押しされた場合にボディ側からの補助電力供給要否を判断しているが、これに限らず、例えば主電源の投入後に判断するようにしてもよい。
（３）実施例は、ＡＦ駆動によって送風部から燃料電池部に空気を供給して発電を開始させているが、ＡＦ制御とは無関係にアクチュエータ部を駆動することによって燃料電池部に酸素含有気体を供給し、燃料電池部の発電を開始させるようにしてもよい。例えば、主電源の投入後直ちにレンズ側電源部の出力を検出し、不足する場合にボディ側から供給される電力によってアクチュエータ部を駆動してもよい。この場合、アクチュエータ部の負荷を軽減するため、例えばアクチュエータ部の動力をフォーカシングレンズ群に伝達する動力伝達機構部の一部にクラッチを設け、ＡＦ駆動をせず発電開始のためにアクチュエータ部を駆動する際は、クラッチを切断することによって送風部のみを駆動するようにしてもよい。
（４）実施例は、燃料電池部が発生した電力を、フォーカシングレンズを駆動するアクチュエータの動力としているが、これに限らず、例えば、ブレ補正装置や、レンズ内絞り駆動部等の動力として用いてもよい。
（５）実施例は、燃料としてメタノールを用いる燃料電池部を備えるものであるが、他の燃料を直接又は公知の改質処理を施して用いるものであってもよい。
【図面の簡単な説明】
【００３６】
【図１】本発明を適用したレンズ鏡筒の実施例を含むカメラシステムの構成を示すブロック図である。
【図２】図１のカメラシステムのレンズ鏡筒内のレイアウトを示す概略図である。
【図３】図１のカメラシステムのＳＷＭ及び送風機の構成を示す図である。
【図４】図１のカメラシステムの起動時における動作を説明するフローチャートである。
【符号の説明】
【００３７】
１    カメラシステム
１００    ボディ
１２０    カメラＣＰＵ
１３０    ボディ側電源部
１５０    補助電力供給接点
２００    レンズ鏡筒
２１０    レンズＣＰＵ
２２０    ドライバ部
２３０    超音波モータ（ＳＷＭ）
２４０    レンズ側電源部
２４２    燃料電池部
２６０    補助電力供給部
２７０    送風部
【図１】
2007121604.tif 000003
【図２】
2007121604.tif 000004
【図３】
2007121604.tif 000005
【図４】
2007121604.tif 000006